【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  外部から送信されたメタデータを記憶するメタデータ記憶手段と、
上記外部から送信されたメタデータとは別の、映像及び音声を識別するためのメタデータのうち少なくとも１つを生成するメタデータ生成手段と、
画像データを記録媒体に記録する記録手段とを有し、
上記メタデータ記憶手段からの上記メタデータ、及び上記メタデータ生成手段からの上記別のメタデータを画像データとともに上記記録媒体に記録すること
を特徴とする画像データ記録装置。
【請求項２】  上記外部から送信されたメタデータは、取材場所の地名を表すギャザリング・ロケーション・プレイス（Gathering_Location_Place）、撮影者の名前を表すフォトグラファ（Photographer）、取材を担当する記者に関する情報を示すジャーナリスト・インフォメーション（Jurnalist Information）、ニュース番組のディレクタを表すディレクタ（Director）、Contentsは、撮影内容に関連するその他の情報が記述されるコンテンツ（Contents）、撮影開始日時を表すギャザリング・スタート・デートタイム（Gathering_Start_DateTime）、撮影終了時間を示すギャザリング・エンド・デートタイム（Gathering_End_DateTime）、ニュース番組のプロデューサを表すプロデューサ（Producer）、ＮＣＳ（Newsroom Computer System）に登録されているニュース番組項目・番組毎に設定されたIDであるエヌ・シー・エス・アイディー（NCS ID）を表すメタデータであることを特徴とする請求項１記載の画像データ記録装置。
【請求項３】  上記映像及び音声を識別するためのメタデータは、撮影場所の緯度を表すギャザリング・ロケーション・ラティテュード（Gathering_Location_Latitude）、撮影場所の経度を表すギャザリング・ロケーション・ロンジテュード（Gathering_Location_Longitude）、撮影場所の高度を表すギャザリング・ロケーション・アルティテュード（Gathering_Location_Altitude）、撮影時の時間を表すギャザリング・ロケーション・タイム（Gathering_Location_Time）、撮像装置を識別する機材ID、撮像装置の設定を示すカメラ・セットアップ・インフォメーション（Camera Setup Imformation）、記録媒体を識別するリール・ナンバ（Reel Number）、撮影に要した時間を示すデュレーション（Duration）、各シーンの開始時間を表すスタート・オブ・マテリアル（StartOf Material）、取材題目を示すタイトル（Title）、撮影の際、手動で入力されるマーク点を示すグッド・ショット・マーク（Good Shot Mark）、及びレコード・スタート・マーク（REC Start Mark）、マイクチャンネルを示すオーディオチャンネル・インフォメーション（Audio Channel Information）、音声の記録がモノラルか、ステレオか、バイリンガルかを示すオーディオ・タイプ（Audio Type）、素材を識別するために唯一的に決められたIDであるユーミッド・オーディオ（UMID（Audio））、及びユーミッド・ビデオ（UMID（Video））、素材データの著作権を表すコピーライト（Copyright）を表すメタデータであること
を特徴とする請求項１記載の画像データ記録装置。
【請求項４】  上記メタデータ生成手段は、ユーザが操作してメタデータを入力する操作手段を備えていること
を特徴とする請求項１記載の画像データ記録装置。
【請求項５】  上記メタデータ生成手段は、グローバル・ポジショニング・システムであって、上記グローバル・ポジショニング・システムにおいて検出された位置情報に基づくメタデータを自動的に生成すること
を特徴とする請求項１記載の画像データ記録装置。
【請求項６】  外部から送信されたメタデータを記憶するメタデータ記憶工程と、
上記外部から送信されたメタデータとは別の、映像及び音声を識別するためのメタデータのうち少なくとも１つを生成するメタデータ生成工程と、
上記メタデータ記憶工程からの上記メタデータ、及び上記メタデータ生成工程にて生成された上記別のメタデータと、画像データとを上記記録媒体に記録する記録工程と
を有することを特徴とする画像データ記録方法。
【請求項７】  上記外部から送信されたメタデータは、取材場所の地名を表すギャザリング・ロケーション・プレイス（Gathering_Location_Place）、撮影者の名前を表すフォトグラファ（Photographer）、取材を担当する記者に関する情報を示すジャーナリスト・インフォメーション（Jurnalist Information）、ニュース番組のディレクタを表すディレクタ（Director）、Contentsは、撮影内容に関連するその他の情報が記述されるコンテンツ（Contents）、撮影開始日時を表すギャザリング・スタート・デートタイム（Gathering_Start_DateTime）、撮影終了時間を示すギャザリング・エンド・デートタイム（Gathering_End_DateTime）、ニュース番組のプロデューサを表すプロデューサ（Producer）、ＮＣＳ（Newsroom Computer System）に登録されているニュース番組項目・番組毎に設定されたIDであるエヌ・シー・エス・アイディー（NCS ID）を表すメタデータであること
を特徴とする請求項６記載の画像データ記録方法。
【請求項８】  上記映像及び音声を識別するためのメタデータは、撮影場所の緯度を表すギャザリング・ロケーション・ラティテュード（Gathering_Location_Latitude）、撮影場所の経度を表すギャザリング・ロケーション・ロンジテュード（Gathering_Location_Longitude）、撮影場所の高度を表すギャザリング・ロケーション・アルティテュード（Gathering_Location_Altitude）、撮影時の時間を表すギャザリング・ロケーション・タイム（Gathering_Location_Time）、撮像装置を識別する機材ID、撮像装置の設定を示すカメラ・セットアップ・インフォメーション（Camera Setup Imformation）、記録媒体を識別するリール・ナンバ（Reel Number）、撮影に要した時間を示すデュレーション（Duration）、各シーンの開始時間を表すスタート・オブ・マテリアル（StartOf Material）、取材題目を示すタイトル（Title）、撮影の際、手動で入力されるマーク点を示すグッド・ショット・マーク（Good Shot Mark）、及びレコード・スタート・マーク（REC Start Mark）、マイクチャンネルを示すオーディオチャンネル・インフォメーション（Audio Channel Information）、音声の記録がモノラルか、ステレオか、バイリンガルかを示すオーディオ・タイプ（Audio Type）、素材を識別するために唯一的に決められたIDであるユーミッド・オーディオ（UMID（Audio））、及びユーミッド・ビデオ（UMID（Video））、素材データの著作権を表すコピーライト（Copyright）を表すメタデータであることを特徴とする請求項６記載の画像データ記録方法。
【請求項９】  上記メタデータ生成工程では、ユーザが操作してメタデータを入力すること
を特徴とする請求項６記載の画像データ記録方法。
【請求項１０】  上記メタデータ生成工程では、グローバル・ポジショニング・システムにおいて検出された位置情報に基づくメタデータを自動的に生成すること
を特徴とする請求項６記載の画像データ記録方法。
【手続補正２】
【補正対象書類名】明細書
【補正対象項目名】０００８
【補正方法】変更
【補正の内容】
【０００８】
【課題を解決するための手段】
上述した目的を達成するために、本発明に係る画像データ記録装置は、外部から送信されたメタデータを記憶するメタデータ記憶手段と、上記外部から送信されたメタデータとは別の、映像及び音声を識別するためのメタデータのうち少なくとも１つを生成するメタデータ生成手段と、画像データを記録媒体に記録する記録手段とを有し、上記メタデータ記憶手段からの上記メタデータ、及び上記メタデータ生成手段からの上記別のメタデータを画像データとともに上記記録媒体に記録することを特徴とする。
【手続補正３】
【補正対象書類名】明細書
【補正対象項目名】０００９
【補正方法】変更
【補正の内容】
【０００９】
上述した目的を達成するために、本発明に係る画像データ記録方法は、外部から送信されたメタデータを記憶するメタデータ記憶工程と、上記外部から送信されたメタデータとは別の、映像及び音声を識別するためのメタデータのうち少なくとも１つを生成するメタデータ生成工程と、上記メタデータ記憶工程からの上記メタデータ、及び上記メタデータ生成工程にて生成された上記別のメタデータと、画像データとを上記記録媒体に記録する記録工程とを有することを特徴とする。
【手続補正４】
【補正対象書類名】明細書
【補正対象項目名】０２５０
【補正方法】変更
【補正の内容】
【０２５０】
【発明の効果】
以上詳細に説明したように本発明に係る画像データ記録装置は、外部から送信されたメタデータを記憶するメタデータ記憶手段と、上記外部から送信されたメタデータとは別の、映像及び音声を識別するためのメタデータのうち少なくとも１つを生成するメタデータ生成手段と、画像データを記録媒体に記録する記録手段とを有し、上記メタデータ記憶手段からの上記メタデータ、及び上記メタデータ生成手段からの上記別のメタデータを画像データとともに上記記録媒体に記録する。
【手続補正５】
【補正対象書類名】明細書
【補正対象項目名】０２５４
【補正方法】変更
【補正の内容】
【０２５４】
以上詳細に説明したように本発明に係る画像データ記録方法は、外部から送信されたメタデータを記憶するメタデータ記憶工程と、上記外部から送信されたメタデータとは別の、映像及び音声を識別するためのメタデータのうち少なくとも１つを生成するメタデータ生成工程と、上記メタデータ記憶工程からの上記メタデータ、及び上記メタデータ生成工程にて生成された上記別のメタデータと、画像データとを上記記録媒体に記録する記録工程とを有する。